(57)【要約】      （修正有）【課題】斜めに設置された傾斜フィン部材を備える熱交換器を提供する。【解決手段】ケースと、傾斜フィン部材２０と、２つのファン３０とを有し、その内、前記傾斜フィン部材は、前記ケースを区画して内側放熱空間１４及び外側放熱空間１５が設けられるように、斜めに該ケース内に設置されると共に、設置平面を有し、該設置平面と該ケースにおける２つの側面との間に共に傾斜角θ１を有する。前記ファンはそれぞれ、前記ケースの内部に設置され、前記内側放熱空間及び外側放熱空間に向かって送風を行う。【選択図】図５
0003168350.tif 000002
【実用新案登録請求の範囲】
【請求項１】
ケースと、傾斜フィン部材と、２つのファンとを有し、
その内、前記傾斜フィン部材は、前記ケースを区画して内側放熱空間及び外側放熱空間が設けられるように、斜めに該ケース内に設置されると共に、設置平面を有し、該設置平面と該ケースにおける２つの側面との間に共に傾斜角を有し、
前記ファンはそれぞれ、前記ケースの内部に設置され、前記内側放熱空間及び外側放熱空間に向かって送風を行うことを特徴とする制御箱型傾斜状フィン式熱交換器。
【請求項２】
前記傾斜フィン部材の設置平面と前記ケースにおける２つの側面との間における傾斜角が１０度であることを特徴とする請求項１に記載の制御箱型傾斜状フィン式熱交換器。
【請求項３】
前記傾斜フィン部材が前記ケースの上部近傍に位置する上端と、該ケースの下部近傍に位置する下端とを備えることを特徴とする請求項１又は２に記載の制御箱型傾斜状フィン式熱交換器。
【請求項４】
前記ケースは、装着座と、該装着座を覆うカバーとを含み、その内、該装着座は、板部と、該板部に設置されると共に、前記傾斜フィン部材を設置するためのフレームとを有し、該板部は、最も大きな面に形成され、前記内側放熱空間と連通する内部排気口を備え、一方、該カバーは、上部に形成され、前記内側放熱空間と連通する内部注気口と、下部に形成され、前記外側放熱空間と連通する外部注気口と、最も大きな面に形成される外部排気口とを備えることを特徴とする請求項３に記載の制御箱型傾斜状フィン式熱交換器。
【請求項５】
前記外部排気口と対応するファンは、前記外側放熱空間側に位置し、
前記内部排気口と対応するファンは、前記内側放熱空間側に位置することを特徴とする請求項４項に記載の制御箱型傾斜状フィン式熱交換器。
【請求項６】
前記内部排気口、内部注気口、外部排気口、外部注気口にそれぞれ濾過網が設置されることを特徴とする請求項５に記載の制御箱型傾斜状フィン式熱交換器。
【請求項７】
前記各ファンと傾斜フィン部材との角度が９０度であることを特徴とする請求項１又は２に記載の制御箱型傾斜状フィン式熱交換器。
【請求項８】
前記各ファンと傾斜フィン部材との角度が９０度であることを特徴とする請求項６に記載の制御箱型傾斜状フィン式熱交換器。
【考案の詳細な説明】
【技術分野】
【０００１】
本考案は、特に傾斜状に設置された傾斜フィン部材を備える熱交換器に関するものである。
【背景技術】
【０００２】
従来の制御箱型フィン式熱交換器は、機械の電力制御ボックスや、重電機器のコントローラ、測定装置、配電器、器具箱などに設置し、熱を放散する機能を提供するものである。
既存の技術による制御箱型フィン式熱交換器は、制御箱に設置されるケースと、該ケース内に、各壁とそれぞれ平行するように設置される２つのフィン部材と、それぞれが該フィン部材と対応するように設けられる２つの送風機とを有する。該送風機用いて、制御箱内における、例えば電子部材などの熱源の発熱による熱気をフィン部材に接触させ、該熱気から該フィン部材に伝熱された熱量をさらに冷空気で放熱させることにより、制御箱の放熱を行うことができる。
【考案の概要】
【考案が解決しようとする課題】
【０００３】
しかしながら、既存の制御箱型フィン式熱交換器は、放熱機能を備えるが、放熱効率が悪いので、より高めることが必要である。
【課題を解決するための手段】
【０００４】
本考案の請求項１では、ケースと、傾斜フィン部材と、２つのファンとを有し、
その内、前記傾斜フィン部材は、前記ケースを区画して内側放熱空間及び外側放熱空間が設けられるように、斜めに該ケース内に設置されると共に、設置平面を有し、該設置平面と該ケースにおける２つの側面との間に共に傾斜角を有し、
前記ファンはそれぞれ、前記ケースの内部に設置され、前記内側放熱空間及び外側放熱空間に向かって送風を行うことを特徴とする制御箱型傾斜状フィン式熱交換器、を提供する。
【０００５】
本考案の請求項２では、前記傾斜フィン部材の設置平面と前記ケースにおける２つの側面との間における傾斜角が１０度であることを特徴とする請求項１に記載の制御箱型傾斜状フィン式熱交換器、を提供する。
【０００６】
本考案の請求項３では、前記傾斜フィン部材が前記ケースの上部近傍に位置する上端と、該ケースの下部近傍に位置する下端とを備えることを特徴とする請求項１又は２に記載の制御箱型傾斜状フィン式熱交換器、を提供する。
【０００７】
本考案の請求項４では、前記ケースは、装着座と、該装着座を覆うカバーとを含み、その内、該装着座は、板部と、該板部に設置されると共に、前記傾斜フィン部材を設置するためのフレームとを有し、該板部は、最も大きな面に形成され、前記内側放熱空間と連通する内部排気口を備え、一方、該カバーは、上部に形成され、前記内側放熱空間と連通する内部注気口と、下部に形成され、前記外側放熱空間と連通する外部注気口と、最も大きな面に形成される外部排気口とを備えることを特徴とする請求項３に記載の制御箱型傾斜状フィン式熱交換器、を提供する。
【０００８】
本考案の請求項５では、前記外部排気口と対応するファンは、前記外側放熱空間側に位置し、
前記内部排気口と対応するファンは、前記内側放熱空間側に位置することを特徴とする請求項４項に記載の制御箱型傾斜状フィン式熱交換器、を提供する。
【０００９】
本考案の請求項６では、前記内部排気口、内部注気口、外部排気口、外部注気口にそれぞれ濾過網が設置されることを特徴とする請求項５に記載の制御箱型傾斜状フィン式熱交換器、を提供する。
【００１０】
本考案の請求項７では、前記各ファンと傾斜フィン部材との角度が９０度であることを特徴とする請求項１又は２に記載の制御箱型傾斜状フィン式熱交換器、を提供する。
【００１１】
本考案の請求項８では、前記各ファンと傾斜フィン部材との角度が９０度であることを特徴とする請求項６に記載の制御箱型傾斜状フィン式熱交換器、を提供する。
【考案の効果】
【００１２】
本考案に係る制御箱型傾斜状フィン式熱交換器は、上記の課題を解決するものであり、ケース内に斜めに傾斜フィン部材が設置され、傾斜フィン部材における放熱可能な面積がより大きくなることから、その面積を十分に利用することができると共に、外部及び内部の対流循環にも優れるので、熱交換器の放熱効果が上昇する。
【図面の簡単な説明】
【００１３】
【図１】本考案に係る制御箱型傾斜状フィン式熱交換器の前面上面視斜視図である。
【図２】本考案に係る制御箱型傾斜状フィン式熱交換器の後面上面視斜視図である。
【図３】本考案に係る制御箱型傾斜状フィン式熱交換器の前面下面視斜視図である。
【図４】本考案に係る制御箱型傾斜状フィン式熱交換器においてカバー取り除いた状態を示す後面下面視斜視図である。
【図５】本考案に係る制御箱型傾斜状フィン式熱交換器の使用状態を示す側面断面図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１及び図４に示すように、本考案に係る制御箱型傾斜状フィン式熱交換器は、ケース１０と、傾斜フィン部材２０と、２つのファン３０とを有する。
【００１６】
図１、図４、図５に示すように、前記ケース１０は、中空の長方体を呈し、装着座１１と、該装着座１１を覆うカバー１２と、該装着座１１の外側面及びカバー１２の外側面にそれぞれ設けられる側面１３とを有し、その内、該装着座１１は、板部１１１と、該板部１１１に設置される、矩形を呈するフレーム１１２とを備え、該板部１１１は、最も大きな面に内部排気口１１１１が形成される。
【００１７】
前記カバー１２は、上部に貫通するように形成される内部注気口１２１と、下部に貫通するように形成される外部注気口１２２と、側部に貫通するように形成される外部排気口１２３とを備える。
【００１８】
図３及び図５に示すように、前記傾斜フィン部材２０は、該ケース１０を区画して内側放熱空間１４及び外側放熱空間１５が設けられるように、斜めに前記ケース１０のフレーム１１２内に設置され、その内、該内側放熱空間１４は、前記内部注気口１２１と内部排気口１１１１と連通され、一方、該外側放熱空間１５は、前記外部注気口１２２及び外部排気口１２３と連通される。尚、前記傾斜フィン部材２０は、設置平面を有し、その設置平面と該ケース１０における２つの側面１３との間の傾斜角θ1が１０度であることが好ましい。
【００１９】
前記傾斜フィン部材２０は、前記ケース１０の上部近傍に位置する上端と、該ケース１０の下部近傍に位置する下端とを備える。尚、前記傾斜フィン部材２０は、前記ケース１０の長手方向の長さの四分の三よりも長くても構わない。
【００２０】
図４及び図５に示すように、前記２つのファン３０はそれぞれ、前記ケース１０内における、フレーム１１２の両側に設けられ、内側放熱空間１４及び外側放熱空間１５へ送風するものである。尚、前記各ファン３０は、３つの送風機であり、前記傾斜フィン部材２０との角度θ２が９０度を成し、また、前記外部排気口１２３と対応するファン３０は、外側放熱空間１５側に位置すると共に、前記内部排気口１１１１と対応するファン３０は、内側放熱空間１４側に位置することが好ましい。
【００２１】
図１及び図２に示すように、前記内部排気口１１１１、内部注気口１２１、外部排気口１２３、外部注気口１２２にそれぞれ濾過網４０が設置される。
【００２２】
図５に示すように、斜めに設置された傾斜フィン部材２０は、各ファン３０からの送風を、内部注気口１２１から内部排気口１１１１まで、及び、外部注気口１２２から外部排気口１２３まで送ることができるので、優れた放熱効果を提供できる。
【００２３】
また、本考案に係る制御箱型傾斜状フィン式熱交換器における装着座１１の内部排気口１１１１は、放熱が必要な制御箱Ｂに面するように設置され、内部において対流循環を発生させることから、制御箱Ｂ内の熱を強制的に対流させて熱を迅速に排出することができ、また、カバー１２の外部排気口１２３は、傾斜フィン部材２０の熱を速やかに排出するために、内部の空氣と外部の空氣とを対流させることができる。
【００２４】
なお、本考案における制御箱型傾斜状フィン式熱交換器には、板部１１１及びカバー１２が設置されてなくても構わなく、フレーム１１２が制御箱Ｂに設置されていればよい。
【産業上の利用可能性】
【００２５】
本考案は上記の構成を有するので、以下の効果を提供することができる。
１、傾斜状の設計が放熱効果を高める：本考案の傾斜フィン部材は、斜めに設置されることから、ケース１０の所定空間内であれば、傾斜フィン部材の長さを伸ばしてもよく、面積を増やしてもよい。尚、そのように放熱可能な面積を増加させれば、放熱効果が向上する。
２、傾斜状の設計により対流が発生する：斜めに設置される傾斜フィン部材は、ファンからの風を注気口から排気口まで導いて対流させるので、放熱効果を高めることができ、さらに、装着座の内部排気口は、放熱が必要な制御箱内に面することから、制御箱内の熱気を強制的に対流させるので、迅速に放熱することができる。
３、傾斜フィン部材の面積が大きい：外部排気口と対応するファンが外側放熱空間側に位置すると共に、内部排気口と対応するファンが内側放熱空間側に位置する構成であることから、風が内側放熱空間及び外側放熱空間に吹き込む時に、傾斜フィン部材と十分に接することができるので、放熱効果が向上する。
【符号の説明】
【００２６】
１０      ケース
１１      装着座
１１１    板部
１１１１  内部排気口
１１２    フレーム
１２      カバー
１２１    内部注気口
１２２    外部注気口
１２３    外部排気口
１３      側面
１４      内側放熱空間
１５      外側放熱空間
２０      傾斜フィン部材
３０      ファン
４０      濾過網
Ｂ        制御箱
θ１      傾斜角
θ２      角度
【図１】
0003168350.tif 000003
【図２】
0003168350.tif 000004
【図３】
0003168350.tif 000005
【図４】
0003168350.tif 000006
【図５】
0003168350.tif 000007